(57)【要約】【課題】複数の電線を、束線具を用いずに束ねた電線束を提供する。【解決手段】電線束３０は、複数の電線３１１〜３１３が束ねられ、コネクタ３００とコネクタ３０１〜３０３とを接続する。コネクタ３００から最も離れたコネクタ３０３に接続される電線３１１は、他の電線３１２、３１３により巻き回される。他の電線３１２、３１３は、コネクタ３００とコネクタ３０１との間で、順次、分岐してコネクタ３０２、３０３に接続される。【選択図】図４
2018156815.tif 000002
【特許請求の範囲】
【請求項１】
複数の電線を有する電線束であって、
前記複数の電線は、第１の位置と第２の位置とを接続するための第１の電線と、
前記第１の位置と前記第２の位置との間の分岐点で前記電線束から分岐して前記第１の位置と第３の位置とを接続するための第２の電線とを有し、
前記第１の電線は、前記第１の位置から前記分岐点まで前記第２の電線により巻き回されていることを特徴とする、
電線束。
【請求項２】
前記第１の位置と前記第２の位置との間に複数の前記分岐点が設けられて、各分岐点で電線が分岐しており、前記第１の位置にその時点で距離が最も近い位置で分岐する電線は、すでに分岐した電線を除く他の電線を巻き回して束ねることを特徴とする、
請求項１記載の電線束。
【請求項３】
前記第２の電線は、前記第１の位置から前記分岐点で分岐するまでの間、他のすべての電線を巻き回して束ねることを特徴とする、
請求項１又は２記載の電線束。
【請求項４】
前記第２の電線が分岐した後に、前記第１の位置からの距離が２番目に近い位置で分岐する電線は、前記第２の電線を除くすべての電線を巻き回して束ねることを特徴とする、
請求項３記載の電線束。
【請求項５】
前記第１の位置、前記複数の第２の位置、及び前記第３の位置には、それぞれ所定の装置に接続可能な複数のコネクタが設けられ、
前記複数の電線は、前記複数のコネクタに接続されることを特徴とする、
請求項１〜４のいずれか１項記載の電線束。
【請求項６】
前記第３の位置は、前記第２の位置よりも前記第１の位置に近いことを特徴とする、
請求項１〜４のいずれか１項記載の電線束。
【請求項７】
第１部品と、第２部品と、第３部品と、複数の電線を有する電線束と、を備えており、
前記電線束は、
前記第１部品と前記第２部品とを接続するための第１の電線と、
前記第１部品と前記第２部品との間の分岐点で前記電線束から分岐して前記第１部品と前記第３部品とを接続するための第２の電線とを有し、
前記第１の電線は、前記第１部品から前記分岐点まで前記第２の電線により巻き回されていることを特徴とする、
装置。
【請求項８】
前記第１部品は制御手段であり、前記第２部品及び前記第３部品は被制御手段であり、前記電線束は信号を伝送するための通信線であることを特徴とする、
請求項７記載の装置。
【請求項９】
前記第２部品及び前記第３部品はそれぞれ異なる機能を有しており、
前記第１部品は、前記第２部品及び前記第３部品の機能に応じた制御信号を、前記電線束を介して送信することを特徴とする、
請求項８記載の装置。
【請求項１０】
前記電線束は、前記第２部品及び前記第３部品のそれぞれに電力を供給するための電力線を含むことを特徴とする、
請求項７〜９のいずれか１項記載の装置。
【請求項１１】
制御手段と、
それぞれ前記制御手段により動作が制御されて、所定の記録材に画像を形成する第１部品及び第２部品と、
複数の電線を有する電線束と、を備えており、
前記電線束は、
前記制御手段と前記第１部品とを接続する第１の電線と、
前記制御手段と前記第１部品との間の分岐点で前記電線束から分岐して前記制御手段と前記第２部品とを接続する第２の電線とを有し、
前記第１の電線は、前記制御手段から前記分岐点まで前記第２の電線により巻き回されていることを特徴とする、
画像形成装置。
【発明の詳細な説明】
【技術分野】
【０００１】
本発明は、画像形成装置のような電気機器の内部で、配線に適用可能な複数の電線の束に関する。
【背景技術】
【０００２】
例えばプリンタや複写機等の画像形成装置等の装置は、筐体内に、装置の機能を実現するために配置された各種の回路等の部品を接続するための複数の電線が配線される。電線は、部品との接触等から起こる傷、焼損を防ぎ且つ装置内でバラバラにならないように束ねられる。複数の電線の束を電線束という。複数の電線は、例えばスパイラルチューブのような束線具を用いて束ねられることが多い。特許文献１は、螺旋状の形状を維持するように加工処理されたカールコードを束線具として用いて、カールコードの内周に複数の電線を取り込むことで束ねる技術を開示する。
【先行技術文献】
【特許文献】
【０００３】
【特許文献１】特開平１０−２４８１４３号公報
【発明の概要】
【発明が解決しようとする課題】
【０００４】
このように、従来、カールコードのような束線具を用いて複数の電線が束ねられている。束線具は、コストアップの原因になるために、複数の電線を束線具を用いずに束ねる技術が求められている。
【０００５】
本発明は、上記課題に鑑みてなされたものであり、複数の電線を束線具を用いずに束ねた電線束を提供することを目的とする。
【課題を解決するための手段】
【０００６】
本発明の電線束は、複数の電線を有する電線束であって、前記複数の電線は、第１の位置と第２の位置とを接続するための第１の電線と、前記第１の位置と前記第２の位置との間の分岐点で前記電線束から分岐して前記第１の位置と第３の位置とを接続するための第２の電線とを有し、前記第１の電線は、前記第１の位置から前記分岐点まで前記第２の電線により巻き回されていることを特徴とする。
【発明の効果】
【０００７】
本発明によれば、先に分岐する電線により他の電線が巻き回されることで、複数の電線が、束線具を用いずに束ねられる。
【図面の簡単な説明】
【０００８】
【図１】画像形成装置の構成図。
【図２】画像形成装置の動作を制御する制御ブロック図。
【図３】電線束の配線例示図。
【図４】電線束の説明図。
【図５】電線束の作成装置の例示図。
【図６】電線束の説明図。
【発明を実施するための形態】
【０００９】
以下、実施の形態を図面を参照しつつ詳細に説明する。
【００１０】
図１は、本実施形態の電線束が用いられた画像形成装置の構成図である。画像形成装置１００は、トナー像を形成する画像形成部１ａ、１ｂ、１ｃ、１ｄ及び中間転写ユニット２０を備える、タンデム型中間転写方式のフルカラープリンタである。画像形成装置１００は、画像が形成される用紙等の記録材Ｐを収容する給紙カセット４、露光器６、定着器５、及び記録材Ｐを搬送する搬送経路を備える。
【００１１】
画像形成部１ａ、１ｂ、１ｃ、１ｄは、像担持体である感光ドラムａ、ｂ、ｃ、ｄを備える交換可能なユニットである。画像形成部１ａ、１ｂ、１ｃ、１ｄは、各々異なる色に対応しており、各感光ドラムａ、ｂ、ｃ、ｄに、対応する色のトナー像を形成する。例えば、感光ドラムａにはイエローのトナー像が形成され、感光ドラムｂにはマゼンタのトナー像が形成され、感光ドラムｃにはシアンのトナー像が形成され、感光ドラムｄにはブラックのトナー像が形成される。各画像形成部１ａ、１ｂ、１ｃ、１ｄは同様の構成である。以下、画像形成部１ａの構成を説明し、他の画像形成部１ｂ、１ｃ、１ｄの構成の説明は省略する。
【００１２】
画像形成部１ａは、感光ドラムａの他に、図示しない帯電ローラ及び現像器を備える。感光ドラムａは、アルミニウム製のシリンダであり、外周面に感光層が形成される。感光ドラムａは、図示しないモータにより所定のプロセススピードで回転駆動される。帯電ローラは、感光ドラムａの感光層を一様な負極性の電位に帯電する。感光ドラムａは、感光層が帯電し且つ露光器６によりレーザビームが照射されることで、感光層に静電潜像が形成される。現像器は、トナー等の現像剤を有しており、感光ドラムａの感光層に形成された静電潜像に対して現像剤を付着させて現像し、トナー像を形成する。
【００１３】
露光器６は、各画像形成部１ａ、１ｂ、１ｃ、１ｄに対応する色の画像データに応じて変調したレーザビームにより、各感光ドラムａ、ｂ、ｃ、ｄを走査する。露光器６は、レーザビームの走査により、各感光ドラムａ、ｂ、ｃ、ｄに対応する色の静電潜像を形成する。例えば、露光器６は、イエローの画像データに基づいてレーザビームを制御して感光ドラムａを走査し、感光ドラムａにイエローの画像の静電潜像を形成する。
【００１４】
中間転写ユニット２０は、画像形成部１ａ、１ｂ、１ｃ、１ｄの上方に配置される交換可能なユニットである。中間転写ユニット２０は、中間転写ベルト２及び一次転写ローラ２ａ、２ｂ、２ｃ、２ｄを備える。中間転写ベルト２は、伸縮性のない無端状のベルト部材で構成された像担持体であり、感光ドラムａ、ｂ、ｃ、ｄからトナー像が転写される。中間転写ベルト２は、二次転写張架ローラ２５等のローラに掛け渡して支持される。中間転写ベルト２は、ローラにより駆動されて矢印Ｒ２方向に回転する。
【００１５】
一次転写ローラ２ａは、中間転写ベルト２を挟んで感光ドラムａに対向する位置に配置される。一次転写ローラ２ａにより感光ドラムａ側へ押圧された中間転写ベルト２と、感光ドラムａと、の間には一次転写部Ｔａが形成される。一次転写ローラ２ａに正極性の直流電圧が印加されると、感光ドラムａに形成された負極性のトナー像が、一次転写部Ｔａで中間転写ベルト２へ転写される。一次転写ローラ２ｂは、中間転写ベルト２を挟んで感光ドラムｂに対向する位置に配置され、感光ドラムｂに形成されたトナー像を中間転写ベルト２に転写させる。一次転写ローラ２ｃは、中間転写ベルト２を挟んで感光ドラムｃに対向する位置に配置され、感光ドラムｃに形成されたトナー像を中間転写ベルト２に転写させる。一次転写ローラ２ｄは、中間転写ベルト２を挟んで感光ドラムｄと対向する位置に配置され、感光ドラムｄに形成されたトナー像を中間転写ベルト２に転写させる。このように中間転写ベルト２は、各感光ドラムａ、ｂ、ｃ、ｄからトナー像が重畳して転写され、フルカラーのトナー像が形成される。なお、画像形成部１ａ、１ｂ、１ｃ、１ｄ、露光器６、及び中間転写ユニット２０を合わせた構成を画像形成ユニット１０と称す。
【００１６】
給紙カセット４に収容される記録材Ｐは、二次転写ローラ２２及び二次転写張架ローラ２５により形成される二次転写部Ｔ２へ搬送される。給紙カセット４から二次転写部Ｔ２までの搬送経路には、分離ローラ８及びレジストレーションローラ９が設けられる。分離ローラ８は、給紙カセット４から引き出した記録材Ｐを１枚ずつ分離してレジストレーションローラ９へ搬送する。レジストレーションローラ９は、搬送された記録材Ｐを停止させて、斜行補正等を行う。レジストレーションローラ９は、中間転写ベルト２に形成されたトナー像が二次転写部Ｔ２に到達するタイミングに合わせて、停止させた記録材Ｐを二次転写部Ｔ２へ搬送する。
【００１７】
記録材Ｐ及び中間転写ベルト２は、二次転写部Ｔ２において二次転写張架ローラ２５と二次転写ローラ２２とに挟まれる。二次転写ローラ２２は、正極性の直流電圧が印加されることで、接地電位に接続された二次転写張架ローラ２５との間にトナー像の転写電界を発生する。二次転写張架ローラ２５及び二次転写ローラ２２により挟まれ、且つ転写電界が発生することで、中間転写ベルト２に形成されるトナー像が記録材Ｐに転写される。
【００１８】
定着器５は、二次転写部Ｔ２から見て搬送経路の下流側に設けられる。定着器５は、ヒータを有する定着ローラ５ａ及び加圧ローラ５ｂを備える。定着ローラ５ａは、加圧ローラ５ｂに圧接されて加圧ニップを形成する。記録材Ｐは、加圧ニップで挟持搬送されることでトナー像が熱圧着される。定着器５から見て搬送経路の下流側には、排出ローラ１１が設けられる。排出ローラ１１は、定着器５でトナー像が定着された記録材Ｐを排紙トレイ７へ排出する。
【００１９】
画像形成装置１００は、画像形成部１ｄに並んで、中間転写ベルト２の近傍にレジストパッチセンサユニット２５０を備える。レジストパッチセンサユニット２５０は、安定した画像形成のために中間転写ベルト２に形成されるテスト画像を読み取るレジストパッチセンサを３個備える。３個のレジストパッチセンサは、中間転写ベルト２の回転方向に直交する方向（図１の奥行き方向）に並んで配置される。
【００２０】
このような画像形成装置１００は、内蔵する制御ユニット２００により動作が制御される。制御ユニット２００は、画像形成装置１００に設けられる図示しない操作部或いは外部装置等から画像形成処理の開始の指示を受け付けると、画像形成装置１００の各部の動作を制御して画像形成処理を行う。
【００２１】
図２は、画像形成装置１００の動作を制御する制御ブロック図である。制御ユニット２００は、操作部２０２、サーミスタ２０４、高圧ユニット２０６、各モータ２１２、クラッチ／ソレノイド２１３、センサ類２１４、定着ヒータ２１１、及び画像形成ユニット１０に接続される。高圧ユニット２０６、各モータ２１２、クラッチ／ソレノイド２１３、定着ヒータ２１１、及び画像形成ユニット１０は、制御ユニット２００に制御される、それぞれ異なる機能を有する被制御部である。制御ユニット２００は、高圧ユニット２０６、各モータ２１２、クラッチ／ソレノイド２１３、定着ヒータ２１１、及び画像形成ユニット１０に機能に応じた制御信号を送信して、各部の動作を制御する。
【００２２】
操作部２０２は、ユーザの操作により画像形成処理の開始の指示、記録材Ｐの紙種、記録材Ｐのサイズ、複写倍率、及び濃度設定値を含む情報を制御ユニット２００に入力するためのユーザインタフェースである。操作部２０２は、画像形成装置１００に指示を入力するために、スタートボタン、リセットボタン、テンキー、及びディスプレイを備えた構成でもよく、タッチパネルを備えた構成であってもよい。ディスプレイには、制御ユニット２００により画像形成装置１００の状態、例えば画像形成枚数や画像形成中か否かの情報、ジャムの発生やその箇所等が表示される。
【００２３】
サーミスタ２０４は、定着器５内の定着ローラ５ａの温度を測定して、測定結果を制御ユニット２００に入力する。高圧ユニット２０６は、帯電ローラ、一次転写ローラ２ａ、２ｂ、２ｃ、２ｄ、二次転写ローラ２２、及び現像器内の現像ローラ等に適切な高電圧を印加する。各モータ２１２は、画像形成装置１００内の各ローラや可動部を駆動する。クラッチ／ソレノイド２１３は、画像形成動作を円滑に進めるために、各部の動作を制御する。センサ類２１４は、画像形成装置１００内の各部の状態を検出して、検出結果を制御ユニット２００に入力する。センサ類２１４は、例えば記録材Ｐの位置を検出する複数の搬送センサ、画像形成装置１００のカバー類の開閉センサ、揺動するユニットが所定位置にあるかを検出する位置検出センサ、レジストパッチセンサ等である。定着ヒータ２１１は、定着ローラ５ａに内蔵されており定着ローラ５ａを加熱する。
【００２４】
制御ユニット２００は、ＣＰＵ（Central Processing Unit）２０１ａ、ＲＡＭ（Random Access Memory）２０１ｂ、及びＲＯＭ（Read Only Memory）２０１ｃを備えるコンピュータである。ＣＰＵ２０１ａは、ＲＯＭ２０１ｃに格納されるプログラムを読み出して、ＲＡＭ２０１ｂをワークエリアに用いて実行することで画像形成装置１００の動作を制御する。ＲＡＭ２０１ｂは、例えば高圧制御部２０５への高圧設定値等を保存する。ＲＡＭ２０１ｂは、図示しない補助電源等により画像形成装置１００の電源がＯＦＦ状態であってもデータを保存できる構成である。なお、制御ユニット２００は、ワークエリアとして用いるＲＡＭをＲＡＭ２０１ｂとは別に備えてもよい。
【００２５】
制御ユニット２００は、Ａ／Ｄ変換器２０３、高圧制御部２０５、モータ制御部２０７、ＤＣ負荷制御部２０８、センサインタフェース（Ｉ／Ｆ）２０９、ＡＣドライバ２１０、及び画像制御部２２０を備える。
【００２６】
制御ユニット２００は、センサ類２１４による検出結果をセンサＩ／Ｆ２０９により受け付ける。ＣＰＵ２０１ａは、センサ類２１４の検出結果に基づいてモータ制御部２０７により各モータ２１２の制御を行う。ＣＰＵ２０１ａは、センサ類２１４の検出結果に基づいてＤＣ負荷制御部２０８によりクラッチ／ソレノイド２１３の動作を制御する。ＣＰＵ２０１ａは、センサ類２１４の検出結果に基づいてＲＡＭ２０１ｂから高圧設定値を読み出し、高圧制御部２０５により高圧ユニット２０６に入力する。
【００２７】
Ａ／Ｄ変換器２０３は、定着ローラ５ａの温度変化に応じたサーミスタ２０４の抵抗値変化を電圧値に変換して、デジタル信号としてＣＰＵ２０１ａに入力する。ＣＰＵ２０１ａは、入力されたデジタル信号に応じてＡＣドライバ２１０により定着ヒータ２１１の発熱量を制御して定着ローラ５ａの温度を調整する。画像制御部２２０は、画像データに対して所定の画像処理を行い、画像処理後の画像データに基づく画像形成処理を画像形成ユニット１０に行わせる。
【００２８】
（配線）
図３は、制御ユニット２００とレジストパッチセンサユニット２５０とを接続する複数の電線を束ねた電線束の配線例示図である。レジストパッチセンサユニット２５０は、３個のレジストパッチセンサ（第１〜第３レジストパッチセンサ２５０ａ、２５０ｂ、２５０ｃ）を備え、電線束３０により制御ユニット２００に接続される。電線束３０は、４個のコネクタ３００、３０１、３０２、３０３を備える。コネクタ３００、３０１、３０２、３０３は、対応する部品へ接続可能である。コネクタ３００は、制御ユニット２００に接続される。コネクタ３０１は、第１レジストパッチセンサ２５０ａに接続される。コネクタ３０２は、第２レジストパッチセンサ２５０ｂに接続される。コネクタ３０３は、第３レジストパッチセンサ２５０ｃに接続される。なお、図示は省略するが、制御ユニット２００及び第１〜第３レジストパッチセンサ２５０ａ、２５０ｂ、２５０ｃは、それぞれ、コネクタ３００〜３０３が接続される接続部を備える。
【００２９】
制御ユニット２００は、画像形成装置１００の筐体内の背面側に配置される。レジストパッチセンサ２５０ｃが画像形成装置１００の最も奥側に配置され、レジストパッチセンサ２５０ａが画像形成装置１００の最も手前側に配置される。このような配置であるために、電線束３０は、画像形成装置１００の奥側から手前側を這い回される形となる。レジストパッチセンサユニット２５０が画像形成装置１００の筐体内に占めるスペースには制約があるために、電線束３０を配線するスペースも必然的に狭くなる。そのために、電線束３０から分岐される電線がばらけた場合に、他の部品との干渉による断線の可能性がある。
【００３０】
図４は、電線束３０の説明図である。本実施形態の電線束３０は、３本の電線３１１、３１２、３１３により構成される。電線３１１は、コネクタ３００とコネクタ３０１との間を結線し、制御ユニット２００と第１レジストパッチセンサ２５０ａとを接続する。電線３１２は、コネクタ３００とコネクタ３０２との間を結線し、制御ユニット２００と第２レジストパッチセンサ２５０ｂとを接続する。電線３１３は、コネクタ３００とコネクタ３０３との間を結線し、制御ユニット２００と第３レジストパッチセンサ２５０ｃとを接続する。
【００３１】
コネクタ３０３は、基準位置（第１の位置）となるコネクタ３００に最も近い分岐点Ａで分岐された電線３１３が接続される。コネクタ３０２は、基準位置となるコネクタ３００に２番目に近い分岐点Ｂで分岐された電線３１２が接続される。コネクタ３０１は、基準位置となるコネクタ３００から最も遠くの位置である第２の位置に設けられ、電線３１１が接続される。なお本実施形態において、コネクタ３００は第１の位置に配置され、コネクタ３０１は第１の位置から最も遠くにある第２の位置に配置され、コネクタ３０２、３０３は、第２の位置よりも近くにある第３の位置に配置されている。コネクタ３０２、３０３は、基準位置と第２の位置との間の各分岐点Ａ、Ｂで分岐される電線３１２、３１３が接続されることになる。なお、分岐点Ａ、Ｂが基準位置と第２の位置との間であれば、コネクタ３０２、３０３がコネクタ３０１よりもコネクタ３００から遠い位置に配置されていてもよい。
【００３２】
電線束３０は、基準位置となるコネクタ３００から最も近い位置で分岐する電線３１３が、他の電線３１１、３１２を巻き回して構成される。電線３１３は、分岐点Ａまで他のすべての電線３１１、３１２を巻き回しており、分岐点Ａで分岐してコネクタ３０３により第３レジストパッチセンサ２５０ｃに接続される。即ち、電線３１３は、基準位置から基準位置に最も近い分岐点Ａまでの間、他の電線３１１、３１２を巻き回しており、分岐点Ａにおいて分岐されてコネクタ３０３までねじりが加えられて、第３レジストパッチセンサ２５０ｃに接続される。
【００３３】
基準位置となるコネクタ３００から見て分岐点Ａよりも先の電線束３０は、電線３１１、３１２により構成される。この電線束３０は、基準位置となるコネクタ３００から２番目に近い位置で分岐する電線３１２が、分岐した電線３１３を除く他のすべての電線３１１を巻き回して構成される。電線３１２は、分岐点Ａから分岐点Ｂまでの間で他の電線３１１を巻き回しており、分岐点Ｂで分岐してコネクタ３０２により第２レジストパッチセンサ２５０ｂに接続される。即ち、電線３１２は、分岐点Ａからから基準位置に２番目に近い分岐点Ｂまでの間、他の電線３１１を巻き回しており、分岐点Ｂにおいて分岐されてコネクタ３０２までねじりが加えられて、第２レジストパッチセンサ２５０ｂに接続される。
【００３４】
基準位置となるコネクタ３００から見て分岐点Ｂよりも先の電線束３０は、電線３１１により構成される。この電線束３０は、１本の電線３１１であるために、電線３１１が他の電線を巻き回して構成されることはない。電線３１１は、分岐点Ｂで電線３１２と分岐してコネクタ３０１により第１レジストパッチセンサ２５０ａに接続される。即ち、電線３１２は、分岐点Ｂにおいて分岐されてコネクタ３０１までねじりが加えられて、第１レジストパッチセンサ２５０ａに接続される。
【００３５】
このように電線束３０は、基準となるコネクタ３００からその時点で距離が最も近い位置（分岐点Ａ）で分岐する電線（電線３１３）を用いて他の電線（電線３１１、３１２）を巻き回して束ねる。そのために電線束３０は、複数の電線（電線３１１、３１２、３１３）がばらけることを防止し、電線３１１、３１２、３１３がばらけて他部品との干渉により断線等を起こす可能性を低くすることができる。また、複数の電線（電線３１１、３１２、３１３）のばらけ防止のために全ての電線をねじる場合に比べ、電線をねじることや巻き回すことによる電線長の増加を抑止することができる。その結果、必要となる電線の総量を抑えることができる。さらに、電線束３０は、巻き回される外側の電線による分岐を作りやすい。
【００３６】
（電線束の作成）
図５は、このような電線束３０の作成装置の例示図である。図５（ａ）は、電線の巻き回し加工時の状態を示す。図５（ｂ）は、電線の巻き回し加工後の状態を示す。作成装置６００は、固定部６０１、中心側セット部６０２、回転側セット部６０３、ハンドル６０４、回転軸６０５、６０７、ベルト６０６、移動部６０８、及び収納部６２、６３を備える。
【００３７】
固定部６０１は、電線の巻き回し加工時に、基準となるコネクタ３００が取り付けられる。固定部６０１は、巻き回しを開始したい位置で複数の電線３１１、３１２、３１３をクランプして固定する。中心側セット部６０２は、コネクタ３０１、３０２が取り付けられる。回転側セット部６０３は、コネクタ３００から最も近い位置で分岐される電線３１３に接続されるコネクタ３０３が取り付けられる。電線３１１、３１２、３１３の余長部分は、収納部６２、６３の内部で巻き取られる。
【００３８】
ハンドル６０４が矢印方向に回転されると、回転軸６０５、ベルト６０６、及び回転軸６０７が回転することで、回転側セット部６０３が中心側セット部６０２の周りを回転する。これにより、電線３１３が電線３１１、３１２の外側に巻き回される。同時に、ハンドル６０４の動きに応じて移動部６０８が所定の移動量でベルト６０６側に移動することで、均一な巻き回し加工が行われる。電線３１１、３１２に対して電線３１３を巻き回す長さ（コネクタ３００から分岐点Ａまでの長さ）に応じて、ハンドル６０４の回転が停止される。なお、使用する電線の種類・被覆の材質に応じて、各電線３１１、３１２、３１３の両端部を結束バンド等の部材により束ねて、巻き回し加工を行ってもよい。
【００３９】
電線３１３への電線３１２の巻き回しの場合、固定部６０１には、電線束３０の分岐点Ａに対応する位置がクランプして固定される。コネクタ３０１は中心側セット部６０２に取り付けられる。コネクタ３０２は回転側セット部６０３に取り付けられる。この状態でハンドル６０４が回転されることで、電線３１１の外側に電線３１２が巻き回される。
【００４０】
分岐点Ａからコネクタ３０３までの電線３１３のねじり加工は、固定部６０１に電線束３０の分岐点Ａに対応する位置が固定され、回転側セット部６０３にコネクタ３０３が取り付けられて実行される。分岐点Ｂからコネクタ３０２までの電線３１２のねじり加工は、固定部６０１に電線束３０の分岐点Ｂに対応する位置が固定され、回転側セット部６０３にコネクタ３０２が取り付けられて実行される。
【００４１】
作成装置６００は、ハンドル６０４を手動で回転する簡易的な構成を説明したが、ハンドルをモータ、センサ、コントローラにより自動制御で回転させる構成であってもよい。
【００４２】
（電線束の他の例）
図６は、電線束の他の構成の説明図である。この電線束４０は、図４の電線束３０と比較して、コネクタ３００〜３０３、複数の電線３１１〜３１３の機能は同じであるが、電線３１２、３１３の巻き回し方が異なる。電線束４０は、基準位置となるコネクタ３００から最も遠いコネクタ３０１に接続される電線３１１が、他のすべての電線３１２、３１３により巻き回されて構成される。
【００４３】
電線３１３は、コネクタ３００から分岐点Ａまで、電線３１２とともに他の電線３１１を巻き回しており、分岐点Ａで分岐してコネクタ３０３により第３レジストパッチセンサ２５０ｃに接続される。即ち、電線３１３は、基準位置から基準位置に最も近い分岐点Ａまでの間、電線３１２とともに他の電線３１１を巻き回しており、分岐点Ａにおいて分岐されてコネクタ３０３までねじりが加えられて、第３レジストパッチセンサ２５０ｃに接続される。
【００４４】
電線３１２は、コネクタ３００から分岐点Ｂまで他の電線３１１を巻き回しており、分岐点Ｂで分岐してコネクタ３０２により第３レジストパッチセンサ２５０ｂに接続される。電線３１２は、コネクタ３００から分岐点Ａまでは、電線３１３とともに電線３１１を巻き回す。即ち、電線３１２は、基準位置から基準位置に２番目に近い分岐点Ｂまでの間、他の電線３１１を巻き回しており、分岐点Ｂにおいて分岐されてコネクタ３０２までねじりが加えられて、第２レジストパッチセンサ２５０ｂに接続される。
【００４５】
このように電線束４０は、コネクタ３００とコネクタ３００から最も離れた位置にあるコネクタ３０１との間で順に分岐する電線３１２、３１３を用いて、順に電線３１１を巻き回して束ねる。そのために電線束４０は、複数の電線（電線３１１、３１２、３１３）がばらけることを防止し、電線３１１、３１２、３１３がばらけて他部品との干渉により断線等を起こす可能性を低くすることができる。また、複数の電線（電線３１１、３１２、３１３）のばらけ防止のために全ての電線をねじる場合に比べ、電線をねじることや巻き回すことによる電線長の増加を抑止することができる。その結果、必要となる電線の総量を抑えることができる。さらに、電線束４０は、巻き回される外側の電線による分岐を作りやすい。
【００４６】
以上のように電線束３０、４０は、基準位置であるコネクタ３００と、コネクタ３００から最も遠い位置に配置されるコネクタ３０１との間で、順次、複数の電線３１１、３１２、３１３が分岐する。分岐した複数の電線３１１、３１２、３１３は、対応するコネクタ３０１、３０２、３０３に接続される。先に分岐する電線が、他の電線を巻き回して束ねる。電線束３０では、先に分岐する電線が他のすべての電線を巻き回して束ねる。電線束４０では、先に分岐する電線が、最後に残る最も遠い位置に配置されるコネクタ３０１に接続される電線３１１を巻き回して束ねる。
【００４７】
電線束３０、４０は、画像形成装置１００の筐体内の様々な部品に配線に用いることができる。例えば、制御ユニット２００と、高圧ユニット２０６、各モータ２１２、及びクラッチ／ソレノイド２１３との配線に電線束３０、４０を用いることができる。また、電線束３０、４０は、画像形成装置１００の他に、様々な電気機器、自動車等の電装部品の内部配線に適用可能である。なお、コネクタ３００〜３０３がそれぞれ複数の端子を備える場合、各電線３１１〜３１３は、端子数に応じた数の電線により構成される。このような場合、各電線３１１〜３１３を電線束として、電線束３０、４０と同様の構成としてもよい。電線３１１〜３１３は、例えば信号を伝送するための通信線、電力を供給するための電力線等として用いられる線材である。
【図１】
2018156815.tif 000003
【図２】
2018156815.tif 000004
【図３】
2018156815.tif 000005
【図４】
2018156815.tif 000006
【図５】
2018156815.tif 000007
【図６】
2018156815.tif 000008